(57)【特許請求の範囲】
【請求項１】
乾式電気集塵機におけるガス流路に対し並列配列された集塵電極ユニットの側縁部に対向し前記集塵電極ユニットの配列方向に延長が可能なガイドレールを集塵機壁面に回転自在に取り付けるとともに、このガイドレールに沿って往復移動をなすスライダを設け、当該スライダに噴射ノズルを取り付け、集塵機外で前記ガイドレールを往復回転させる駆動手段を設けて噴射ノズルによる噴射方向を前記集塵電極の平面に沿った首振り運動を付与可能とし、かつ集塵機外にてガイドレールの端部にはスライダ駆動部および前記噴射ノズルの繰り出しドラムを設けたことを特徴とする乾式電気集塵機の洗浄装置。
【請求項２】
前記噴射ノズルには、前記集塵電極表面の洗浄のための洗浄流体若しくは粒子を含有させた洗浄流体の供給手段を設けてなることを特徴とする請求項１に記載の電気集塵機の洗浄装置。
【請求項３】
前記スライダは前記ガイドレールの長手方向に沿った開口の縁辺に設けた案内溝にはめ込んだスチールベルトに取り付けてなることを特徴とする乾式電気集塵機の洗浄装置。
【発明の詳細な説明】
【０００１】
【発明の属する技術分野】
本発明は、乾式電気集塵機の洗浄装置に係り、特に乾式電気集塵機により捕集され集塵電極に付着したダストの除去をなす洗浄装置に関する。
【０００２】
【従来の技術】
乾式電気集塵機はガス流路を形成しているケーシングの内部に網状の放電極と平板状の集塵極とを交互に平行に配列した集塵電極ユニットを複数組み配置し、ガスを集塵電極間に流通させる際にダストを集塵極に捕集させている。このような乾式電気集塵機では、点検作業や修理作業を行うために、集塵機の内部を定期的（通常、年に１〜２回程度）に洗浄する必要がある。
【０００３】
そして従来は、上述した集塵電極ユニットに対し以下に示すような方法を用いて洗浄を行ってきた。
すなわち従来の洗浄方法は、並列配置された集塵電極ユニットの側縁部に沿って鉛直水管を配置し、この鉛直水管の途中に設けられた複数の噴射ノズルから水を噴霧する。そしてこの水の噴霧により、集塵電極ユニットの表面を洗い流し、当該集塵電極ユニットの洗浄をなすものである。
なお水により洗い流された塵埃は、その後の水処理によって水との分離がなされ回収される。
【０００４】
【発明が解決しようとする課題】
しかし上述した洗浄方法では、以下に示すような問題点があった。
すなわち乾式電気集塵機においては、上述した洗浄作業は、年に１〜２回程度である。このため上記洗浄作業のためだけに、鉛直水管に複数の噴射ノズルを取り付けるような大がかりな装置を用いるのは、乾式電気集塵機における集塵電極ユニットとの設備のつり合いが悪くなるとともに、前記乾式電気集塵機における占有率も大きくなり、乾式電気集塵機の捕集効率の向上の妨げにもなるおそれがあった。
【０００５】
そして集塵電極ユニットの除塵を行うのに全て水を用いることとすると、窒素濃度の高い処理水（塵埃が原因）が大量に発生するので、その水処理にかかる負担が大きいものとなっていた。
さらに集塵電極ユニットの表面には錆等も発生するが、この錆の除去は、集塵電極ユニットの表面を作業員がブラシ等で擦ることで行っている。しかしこの方法は、悪環境で且つ過酷な労働を伴うことから作業員への負荷が大きいものとなっていた。
【０００６】
本発明は、上記従来の問題点に着目し、多数の噴射ノズルを用いずとも確実に洗浄をなすことのできる乾式電気集塵機の洗浄装置を提供することを目的とする。
【０００７】
【課題を解決するための手段】
本発明に係る乾式電気集塵機の洗浄装置は、乾式電気集塵機におけるガス流路に対し並列配列された集塵電極ユニットの側縁部に対向し前記集塵電極ユニットの配列方向に延長が可能なガイドレールを集塵機壁面に回転自在に取り付けるとともに、このガイドレールに沿って往復移動をなすスライダを設け、当該スライダに噴射ノズルを取り付け、集塵機外で前記ガイドレールを往復回転させる駆動手段を設けて噴射ノズルによる噴射方向を前記集塵電極の平面に沿った首振り運動を付与可能とし、かつ集塵機外にてガイドレールの端部にはスライダ駆動部および前記噴射ノズルの繰り出しドラムを設けた。
【０００８】
上記構成において、前記噴射ノズルには、前記集塵電極表面の洗浄のための洗浄流体若しくは粒子を含有させた洗浄流体の供給手段を設けるようにすればよい。なお前記粒子には、ドライアイスを用いることが望ましい。
【０００９】
そして本発明に係る乾式電気集塵機の洗浄装置の前記スライダは前記ガイドレールの長手方向に沿った開口の縁辺に設けた案内溝にはめ込んだスチールベルトに取り付けるようにすればよい。
【００１０】
【作用】
上記の如く構成した本発明によれば、噴射ノズルからの噴射作用によって、集塵電極ユニットに付着した塵埃を吹き飛ばしにより除去することができる。ここで前記噴射ノズルの首振りを行うようにすれば、噴射方向を変化させることが可能となり、集塵電極ユニットにおいてより広範囲における塵埃の除去を行うことができる。そして噴射ノズルを集塵電極ユニットの重ね方向へ往復移動させることで並列配置された前記集塵電極ユニット個々の除塵を行うことができる。
【００１１】
なお噴射ノズルより高圧気体を噴射させれば、集塵電極ユニットに付着する塵埃の大半を水を用いずに除去することが可能になる。このことから塵埃を含んだ処理水の発生量を抑えることができ、水処理工程の負荷低減をなすことができる。
【００１２】
また洗浄流体とともに粒子を噴射させれば、上記作用に加え、粒子が集塵電極ユニットの表面に衝突するので、更なる塵埃の除去とともに、前記集塵電極ユニットの表面に発生した錆等も（物理的な衝突により）除去することができる。なおこの粒子としては砂やドライアイス等が望ましく、特にドライアイスを用いるようにすれば、当該ドライアイスは集塵電極ユニットの表面に衝突後、気化するので集塵電極ユニットの下方には、錆等だけが残り回収を容易にすることができるとともに、粒子と錆等との分離作業を削減させることができる。
【００１３】
なお噴射ノズルの集塵電極ユニットの重ね方向への往復移動は、ガイドレールに沿って往復移動をなすスライダによって行われ、前記噴射ノズルの首振りはガイドレールまたは噴射ノズルに設けた首振り機構によって行われればよい。
【００１４】
【発明の実施の形態】
以下に本発明に係る乾式電気集塵機の洗浄装置に好適な具体的実施の形態を図面を参照して詳細に説明する。
図２は、本実施の形態に係る乾式電気集塵機の洗浄装置の構造を示す上面図であり、図３は、同装置の構造を示す正面図および側面図である。
【００１５】
これらの図に示すように、本実施の形態に係る乾式電気集塵機の洗浄装置１０（以下、洗浄装置１０と称す）は、乾式電気集塵機の壁面に取り付けられ、前記乾式電気集塵機内に支持されるガイドレール１２と、このガイドレール１２に取り付けられ、当該ガイドレール１２の長手方向に沿って往復移動を可能とするスライダ１４と、当該スライダ１４に取り付けられ、スライダ１４とともに移動をなす噴射ノズル１６とを主な構成としている。
【００１６】
ガイドレール１２は、前記乾式電気集塵機内に露出するスライダ案内部１８と、このスライダ案内部１８の片側端部に取り付けられ前記乾式電気集塵機の外側に配置されるスライダ駆動部２０と、前記スライダ案内部１８の他方端部に取り付けられ、乾式電気集塵機内で前記スライダ案内部１８の支持をなすスライダ支持部２２とで構成されている。
【００１７】
スライダ案内部１８は、断面矩形状の中空枠材からなり、その構成面における所定の面には、長手方向に沿った開口が形成され、この開口における長手方向に沿った縁辺には断面コ字状の案内溝２４が形成されている。そしてこの案内溝２４にスライダ１４を往復移動させるための後述するスチールベルトをはめ込むことで、当該スチールベルトの脱落防止をなし、スライダ１４の確実な往復動作を行うようにしている。なお乾式電気集塵機内に露出するスライダ案内部１８の長さは、１０ｍ以上に設定され、前記乾式電気集塵機内に並列配置された集塵電極ユニットを跨ぐだけの長さに設定されている。
【００１８】
スライダ案内部１８の片側端部に取り付けられるスライダ駆動部２０は、円筒形状からなり、スライダ案内部１８の端面との接合は、ジョイント２６を介したボルト結合によって行われる。なおジョイント２６の後方にはシール材２８を介して回転可能に支持される取付フランジ３０が設けられており、この取付フランジ３０を壁面にあらかじめ形成された取付穴に装着することで、ガイドレール１２全体、すなわちスライダ案内部１８およびスライダ駆動部２０さらにスライダ支持部２２を回転可能にしている。
【００１９】
またスライダ駆動部２０内側において取付フランジ３０の後方には、駆動プーリ３２が設けられており、この駆動プーリ３２はスライダ駆動部２０の側方に設けられたエアモータ３４の回転軸３６に取り付けられており、前記エアモータ３４に洗浄流体となる高圧気体を供給することで回転軸３６とともに、駆動プーリ３２を回転できるようにしている。なお回転軸３６の先端側端部には、回転検出機構３５が設けられており、駆動プーリ３２の回転量を検出できるようになっている。すなわち回転検出機構３５は、回転軸３６に取り付けられ切欠きを有した円盤と、この切欠きの検知をなす光電センサとで構成され、当該光電センサが円盤上の切欠きを検出することで駆動プーリ３２の回転量を求める。そして駆動プーリ３２の円周はあらかじめ解っていることから、前記駆動プーリ３２にかかるスチールベルトの往復移動量を算出させることが可能になっている。
【００２０】
駆動プーリ３２のさらに後方には、噴射ノズル１６に高圧気体を供給するためのエアホース３８が巻き取られた繰り出し用ドラム４０が配置されており、スライダ駆動部２０およびスライダ案内部１８の内側にエアホース３８を送り出し可能にしている。なお繰り出し用ドラム４０にはその内部に図示しない巻き取り機構が内蔵されており、エアホース３８に加わる牽引力が解放されると、前記巻き取り機構によるバックテンションによって前記エアホース３８を巻き取るようにしている。
【００２１】
ところでスライダ案内部１８における他方端部に取り付けられるスライダ支持部２２も、前記スライダ駆動部２０と同様に円筒形状からなり、その内側中央部には、駆動プーリ３２に対向する従動プーリ４２が設けられている。そして当該従動プーリ４２は、スライダ支持部２２の先端からばね４４によって支持されており、このため従動プーリ４２にスチールベルト４６をかけた場合、このスチールベルト４６に一定の張力を加えることが可能になっている。なおスライダ支持部２２とスライダ案内部１８との結合も、前記スライダ駆動部２０と同様のジョイント２６が用いられる。
【００２２】
当該スチールベルト４６は、無端状の形態からなり、スライダ駆動部２０に設けられた駆動プーリ３２と、スライダ支持部２２に設けられた従動プーリ４２とにかけられるようになっている。そして前記スチールベルト４６は、スライダ案内部１８においては案内溝２４にその端部が挿入されており、駆動プーリ３２の回転によってスチールベルト４６が回転移動しても、スライダ案内部１８との相対位置が変動するのを防止できるようにしている。そしてスチールベルト４６の材質は、防錆対策という観点から、ステンレス製の薄板が採用されている。
【００２３】
ところでスライダ１４は、前記スチールベルト４６にボルト結合されており、駆動プーリ３２の回転によってスチールベルト４６とともにスライダ案内部１８に沿って往復移動を可能にしている。そしてこのスライダ１４には前述の通り噴射ノズル１６が取り付けられており、当該噴射ノズル１６には、繰り出し用ドラム４０から引き出されたエアホース３８が接続される。このため図示しない圧力源（コンプレッサ）から導入された高圧気体（圧縮空気）は、エアホース３８を介して噴射ノズル１６から噴射されるとともに、噴射ノズル１６はスライダ１４によってスライダ案内部１８上を自在に移動することができる。
【００２４】
またスライダ駆動部２０において、取付フランジ３０の後方には、前記スライダ駆動部２０の半径方向に延長される回転用アーム４８が取り付けられ、この回転用アーム４８を用い、スライダ駆動部２０の回転方向に回転モーメントを加えれば、前記ガイドレール１２を回転させることができる。なおこの回転によって、取付フランジ３０と、当該取付フランジ３０にシール材２８を介して支持されるスライダ駆動部２０との間に位置ズレが生じないよう、スライダ駆動部２０の外面にロータ５０を設けるとともに、取付フランジ３０からは前記ロータ５０の両面を所定の隙間をもってガイドをなすサポート部材５２が設けられている。
【００２５】
またこのように構成された洗浄装置１０は、その中央部を取付フランジ３０によって支持されるとともに、その先端部をＶブロック５４によって支持されるので、ガイドレール１２の回転と支持とを行えるようになっている。
【００２６】
このように構成された洗浄装置１０を用いて乾式電気集塵機内に配置された集塵電極ユニットを洗浄する手順を説明する。
図１は、洗浄装置１０により集塵電極ユニットを洗浄する状態を示した洗浄作業説明図であり、図４は、乾式電気集塵機の構造および洗浄装置１０の配置状態を示す説明図である。
【００２７】
これらの図に示すように、乾式電気集塵機５８の内側には塵埃の除去をなす複数の集塵電極ユニット６０が並列配置されており、この集塵電極ユニット６０の側面位置に洗浄装置１０が取付フランジ３０によって壁面６１に複数取り付けられている。
【００２８】
同洗浄装置１０を用いて、集塵電極ユニット６０の洗浄を行う場合には、まず図示しない圧力源より、高圧気体を導入させ、噴射ノズル１６より前記高圧気体の噴射を行う。そしてこの噴射を集塵電極ユニット６０に向けることで、当該集塵電極ユニット６０の表面に付着した塵埃は、吹き飛ばされ乾式電気集塵機５８内に舞った後、床面に落下する。このように任意の集塵電極ユニット６０の洗浄作業を行った後は、噴射状態を保ちつつエアモータ３４を稼働させスチールベルト４６を介してスライダ１４とともに噴射ノズル１６を次段の集塵電極ユニット６０の位置まで移動させればよい。こうして噴射ノズル１６から高圧気体を噴射しつつ当該噴射ノズル１６をスライダ案内部１８に沿って往復移動させれば、高圧気体の当たる集塵電極ユニット６０の範囲の洗浄を行うことが出来る。そして集塵電極ユニット６０の任意の範囲の洗浄が終了した後は、回転用アーム４８を用いてガイドレール１２を回転させ、噴射ノズル１６の首振りを行わせればよい。このように噴射ノズル１６の首振り動作を行わせることで、高圧気体の噴射角度が変わり、高圧気体の当たっていない新たな集塵電極ユニット６０の範囲についても洗浄作業を行うことができる。
【００２９】
そして噴射ノズル１６の首振り動作とスライダ案内部１８に沿った往復移動を繰り返し行っていけば、集塵電極ユニット６０の広範囲について洗浄を行うことができる。また上記洗浄が終了した後に、乾式電気集塵機５８の底面に落下した塵埃の除去を行うとともに集塵電極ユニット６０の水洗洗浄を行えば、僅かな水量で洗浄を行うことができ、塵埃を含んだ洗浄水が大量に発生することもないので、処理に係る負担を低減させることができる。
【００３０】
図５は、洗浄装置１０の応用例を示す構造説明図である。本実施の形態においては、噴射ノズル１６の首振り動作は、回転用アーム４８の回転動作により行っていたが、この形態に限定されることもなく、例えば同図に示すようにリンク機構６２にシリンダ６４を取り付け、当該シリンダ６４の伸縮動作によりガイドレール１２を回転させるようにしてもよい。また噴射ノズル１６自体に首振り機構を設け、前記噴射ノズル１６による首振り動作にて集塵電極ユニット６０の洗浄を行うようにしてもよい。さらにはスライダ１４に複数の噴射ノズル１６を取り付け噴射範囲を拡大するようにしてもよい。
【００３１】
なお本実施の形態では、噴射ノズル１６より高圧気体を噴射させ、集塵電極ユニット６０の洗浄を行うこととしたが、この形態に限定されることもなく、例えば、高圧気体とともに砂や、ドライアイス等の粒子を噴射ノズル１６より吹き出させ、集塵電極ユニット６０に衝突させて、当該集塵電極ユニット６０の表面の錆等の除去を行うようにしてもよい。なお衝突粒子としてドライアイスを用いれば、当該ドライアイスは集塵電極ユニット６０に衝突した後、気化するので、乾式電気集塵機５８の内部を汚すことが無く、さらには床面には錆等だけが残留するので粒子と錆等との分離をなす作業を省略することができる。
【００３２】
【発明の効果】
以上説明したように本発明によれば、乾式電気集塵機におけるガス流路に対し並列配列された集塵電極ユニットの側縁部に対向し前記集塵電極ユニットの配列方向に延長が可能なガイドレールを集塵機壁面に回転自在に取り付けるとともに、このガイドレールに沿って往復移動をなすスライダを設け、当該スライダに噴射ノズルを取り付け、集塵機外で前記ガイドレールを往復回転させる駆動手段を設けて噴射ノズルによる噴射方向を前記集塵電極の平面に沿った首振り運動を付与可能とし、かつ集塵機外にてガイドレールの端部にはスライダ駆動部および前記噴射ノズルの繰り出しドラムを設けた構成としたので、複数の噴射ノズルを設けず簡単な構造で集塵電極ユニットの表面洗浄をなすことができる。
【図面の簡単な説明】
【図１】洗浄装置１０により集塵電極ユニットを洗浄する状態を示した洗浄作業説明図である。
【図２】本実施の形態に係る乾式電気集塵機の洗浄装置の構造を示す上面図である。
【図３】同装置の構造を示す正面図および側面図である。
【図４】乾式電気集塵機の構造および洗浄装置１０の配置状態を示す説明図である。
【図５】洗浄装置１０の応用例を示す構造説明図である。
【符号の説明】
１０            乾式電気集塵機の洗浄装置
１２            ガイドレール
１４            スライダ
１６            噴射ノズル
１８            スライダ案内部
２０            スライダ駆動部
２２            スライダ支持部
２４            案内溝
２６            ジョイント
２８            シール材
３０            取付フランジ
３２            駆動プーリ
３４            エアモータ
３５            回転検出機構
３６            回転軸
３８            エアホース
４０            繰り出し用ドラム
４２            従動プーリ
４４            ばね
４６            スチールベルト
４８            回転用アーム
５０            ロータ
５２            サポート部材
５４            Ｖブロック
５８            乾式電気集塵機
６０            集塵電極ユニット
６１            壁面
６２            リンク機構
６４            シリンダ
【図１】
0003947893.tif 000002
【図２】
0003947893.tif 000003
【図３】
0003947893.tif 000004
【図４】
0003947893.tif 000005
【図５】
0003947893.tif 000006